(57)【特許請求の範囲】
【請求項１】
育苗土を載せる平面視矩形の栽培床本体と、
この栽培床本体の対向縁の下部を支持する平行一対の支持パイプを有する支持枠と、
前記一対の支持パイプに相対向するように所定間隔を置いて複数取り付けられる弾性合成樹脂製のアーチ受け具と、
上方に湾曲した状態で、対向位置にある一対の前記アーチ受け具に両端部を支持される複数の弾性合成樹脂製のアーチ棒とを具備し、このアーチ棒上に保温シートが支持可能とされ、
前記アーチ受け具は、前記支持パイプへの装着状態においてアーチ棒の先端部をほぼ垂直方向に受け入れ可能に上方に開口し、下部の外側面が支持パイプの対向側面に接するように軸線をほぼ垂直に向けて配置される筒状部と、
この筒状部の上部から前記支持パイプ側へ半径方向に延出し、下面に長手方向の係合歯列を有し、装着時に前記支持パイプの外周を周回して締め付けることができるバンド部と、
このバンド部の基部に設けられ、前記支持パイプを周回したバンド部の先端側を前記筒状部の外側面に沿ってほぼ垂直方向に貫通させる開口部と、バンド部の前記係合歯列にラチェット式に係合してバンド部を開口部から抜け止めするラチェット爪とを有する締め付けヘッド部と、
前記締め付けヘッド部の下方に位置して前記筒状部の外側面に上下方向に延びるように設けられ、前記支持パイプを周回した前記バンド部の先端側を下方から挿入して締め付けヘッドの開口部へ向かうように案内するガイド溝とを具備することを特徴とする植物栽培床構造。
【請求項２】
前記支持枠は、前記平行一対の支持パイプと、これらの支持パイプの両端部間を直交方向に結合する平行一対の連結パイプとを具備し、少なくとも四隅に垂直に結合される支持脚により地上に間隔を置いて支持されることを特徴とする請求項１に記載の植物栽培床構造。
【請求項３】
前記支持脚は、管材で構成される上部脚と、この上部脚の下端部を受け入れて地上に間隔を置いて支持する調整脚とを具備し、
前記調整脚は、地上に配置されるベースと、このベース上に垂直に起立するねじ棒と、このねじ棒に螺合される調整ナットと、この調整ナット上に位置してねじ棒に外挿され前記上部脚の下端部を高さ位置調整自在に受け入れる受け金具とを具備することを特徴とする請求項２に記載の植物栽培床構造。
【請求項４】
栽培床本体の下部を水平に支持する平行一対の支持パイプに相対向して一対取り付けられ、上方に湾曲したアーチ棒の両端部を支持する弾性合成樹脂製のアーチ棒受け具であって、
前記支持パイプへの装着状態において、前記アーチ棒の先端部をほぼ垂直方向に受け入れ可能に上方に開口し、下部の外側面が前記支持パイプの対向側面に接する筒状部と、
この筒状部の上部から前記支持パイプ側へ半径方向に延出し、下面に長手方向の係合歯列を有し、装着時に前記支持パイプの外周を周回して締め付けることができるバンド部と、
このバンド部の基部に設けられ、前記支持パイプを周回したバンド部の先端側を前記筒状部の外側面に沿ってほぼ垂直方向に貫通させる開口部と、バンド部の前記係合歯列にラチェット式に係合してバンド部を開口部から抜け止めするラチェット爪とを有する締め付けヘッド部と、
前記締め付けヘッド部の下方に位置して前記筒状部の外側面に上下方向に延びるように設けられ、前記支持パイプを周回した前記バンド部の先端側を下方から挿入して締め付けヘッドの開口部へ向かうように案内するガイド溝とを具備することを特徴とする植物栽培床用アーチ棒受け具。
【発明の詳細な説明】
【技術分野】
【０００１】
本発明は、植物の苗床のような栽培床の構造と、それに用いられるアーチ棒の支持具に関する。
【背景技術】
【０００２】
平面視が矩形の防水シートの外周部に一体型の水溜ホース枠を設け、この水溜ホース枠の外側に保温シートを受けるトンネル張棒を挿通する棒立体を一体に設けてなる簡易型の苗代装置が知られている（特許文献１）。この苗代装置においては、水溜ホース枠に通水すると、膨らんで平面視が矩形状になるよう防水シートが展開される。防水シート上に育苗土が敷かれ、これに苗が植え付けられる。
【先行技術文献】
【特許文献】
【０００３】
【特許文献１】特開平１１−１６８９９２号公報
【発明の概要】
【発明が解決しようとする課題】
【０００４】
本発明は、栽培床を地面上に間隔を置いて支持する高床式の栽培床であって、構造が比較的簡易で、安価に得られるとともに、保温シートを支持するアーチ棒の装着が容易なものを提供することを目的としている。
【課題を解決するための手段】
【０００５】
以下、添付図面の符号を参照して説明するが、本発明はこれに限定されるものではない。
上記課題を解決するための、本発明の植物栽培床構造は、育苗土Ｓを載せる平面視矩形の栽培床本体１と、この栽培床本体１の対向縁の下部を支持する平行一対の支持パイプ５を有する支持枠４と、一対の支持パイプに相対向するように所定間隔を置いて複数取り付けられる弾性合成樹脂製のアーチ受け具７と、上方に湾曲した状態で、対向位置にある一対のアーチ受け具７に両端部を支持される複数の弾性合成樹脂製のアーチ棒８とを具備する。このアーチ棒上に保温シートが支持可能である。アーチ受け具７は、支持パイプ５への装着状態においてアーチ棒８の先端部をほぼ垂直方向に受け入れ可能に上方に開口する筒状部９と、この筒状部９から半径方向へ延出し、一方の面に長手方向の係合歯列１０ａを有し、装着時に支持パイプ５の外周を周回して締め付けることができるバンド部１０と、このバンド部１０の基部に設けられ、支持パイプ５を周回したバンド部１０の先端側を貫通させる開口部１１ａと、バンド部１０の係合歯列にラチェット式に係合してバンド部１０を開口部１１ａから抜け止めするラチェット爪１１ｂとを有する締め付けヘッド部１１とを具備する。
【発明の効果】
【０００６】
本発明の植物栽培床構造によれば、構造が比較的簡易で、安価に得られるとともに、保温シートを支持するアーチ棒の装着が容易であり、植物栽培床の構築を簡易迅速に行える。
【図面の簡単な説明】
【０００７】
【図１】本発明に係る植物栽培床構造の概略的説明図である。
【図２】図１の植物栽培床構造の一部の拡大図である。
【図３】図１の植物栽培床構造における一部の拡大断面図である。
【図４】図１の植物栽培床構造におけるアーチ受け具の正面図である。
【図５】図１の植物栽培床構造におけるアーチ受け具の拡大断面図である。
【図６】図１の植物栽培床構造における支持脚の拡大断面図である。
【発明を実施するための形態】
【０００８】
図面を参照して本発明の実施の形態を説明する。
図１、図２において、育苗土Ｓを載せる栽培床本体１は、平面視矩形の箱状で、架台２によって地上に間隔を置いて支持される。架台２は、４つの支持脚３と、その上に井桁状に組まれた支持枠４とを具備する。
【０００９】
支持枠４は、栽培床本体１の対向縁の下部を支持する平行一対の支持パイプ５と、これらの支持パイプ５の両端部間を直交方向に結合する平行一対の連結パイプ６とを具備する。支持パイプ５と連結パイプ６は、単管パイプと称される市販の鋼管材で構成し、市販のクランプ金具１８で結合できる。
【００１０】
アーチ受け具７は、弾性合成樹脂製で、一対の支持パイプ５上に、相対向するように所定の相互間隔を置いて複数取り付けられる。このアーチ受け具７に、弾性合成樹脂製のアーチ棒８が、上方に湾曲した状態で両端部を支持される。このアーチ棒８上に、図示しない保温シートが支持される。
【００１１】
図３ないし図５に示すように、アーチ受け具７は、アーチ棒８の先端部を受け入れる筒状部９と、支持パイプ５の外周を周回して締め付けるバンド部１０と、バンド部１０を締めるヘッド部１１とを具備する。筒状部９は、支持パイプ５への装着状態において、アーチ棒８の先端部をほぼ垂直方向に受け入れ可能に上方に開口する。バンド部１０は、筒状部９の上部外周から半径方向へ延出し、一方の面に長手方向の係合歯列１０ａを有する。ヘッド部１１は、バンド部１０の基部に設けられ、支持パイプ５を周回したバンド部１０の先端側を貫通させる開口部１１ａと、バンド部１０の係合歯列にラチェット式に係合してバンド部１０を開口部１１ａから抜け止めするラチェット爪１１ｂとを具備する。
【００１２】
図６に示すように、支持脚３は、単管パイプのような鋼管材で構成される上部脚１２と、この上部脚１２の下端部を受け入れて地上に間隔を置いて支持する調整脚１３とを具備する。調整脚１３は、ベース１４、ねじ棒１５、調整ナット１６、受け金具１７を具備する。ベース１４は地上に配置される。ねじ棒１５は、ベース１４上に垂直に起立する。調整ナット１６は、ねじ棒１５に螺合され、その螺合位置により、受け金具１７の高さ位置を調整する。受け金具１７は、調整ナット１６上に位置してねじ棒１５に相対上下動自在に外挿され、上部脚の下端部を高さ位置調整自在に受け入れる。
【符号の説明】
【００１３】
１    栽培床本体
２    架台
３    支持脚
４    支持枠
５    支持パイプ
６    連結パイプ
７    アーチ受け具
８    アーチ棒
９    筒状部
１０  バンド部
１０ａ  係合歯列
１１  ヘッド部
１２  上部脚
１３  調整脚
１４  ベース
１５  ねじ棒
１６  調整ナット
１７  受け金具
１８  クランプ金具
Ｓ    育苗土
【図１】
0005726124.tif 000002
【図２】
0005726124.tif 000003
【図３】
0005726124.tif 000004
【図４】
0005726124.tif 000005
【図５】
0005726124.tif 000006
【図６】
0005726124.tif 000007